(57)【特許請求の範囲】
【請求項１】
着信時に通信回線から到来する発信者情報を受信する受信手段と、該受信手段により受信した発信者情報に基づく情報を報知する報知手段と、着信時において自動的に通信回線を閉結して発信者情報の記憶や応答メッセージの送出や用件メッセージの録音等を行う留守番機能を備えた通信装置において、
着信検出時に、上記留守番機能が起動しているか否かに基づいて上記報知手段における発信者情報に基づく情報報知の実行／禁止を制御するとともに、表示反転ボタンの操作がなされる度に、発信者情報に基づく情報報知の実行／禁止を反転させる制御手段を設けたことを特徴とする通信装置。
【請求項２】
着信時に通信回線から到来する発信者情報を受信する受信手段と、該受信手段により受信した発信者情報に基づく情報を報知する報知手段と、着信時において自動的に通信回線を閉結して発信者情報の記憶や応答メッセージの送出や用件メッセージの録音等を行う留守番機能を備えた通信装置において、
発信者電話番号が表示されている状態、または発信者電話番号の表示が禁止されてダミーデータが表示されている状態において、表示反転ボタンの操作がなされる度に、発信者情報に基づく情報報知の実行／禁止を反転させる一方、発信者情報に基づく情報報知を禁止したとき、上記報知手段に発信者情報に基づく情報報知を禁止したことを表す情報を報知させる制御手段を設けたことを特徴とする通信装置。
【発明の詳細な説明】
【０００１】
【発明の属する技術分野】
本発明は、通信装置に関する。
【０００２】
【従来の技術】
従来より、通信装置としては、着信時に通信回線から到来する発信者情報を受信し、その受信した発信者情報に基づいて発信者の電話番号や予め登録された名称等を表示部に表示したり、スピーカにより外部に放音する等して報知するものがあった。
【０００３】
【発明が解決しようとする課題】
ところが、上記従来装置では、着信時に通信回線から到来する発信者情報が受信されたとき、その受信した発信者情報に基づく情報の報知が無条件に行われていたため、事務所のように不特定多数の使用者によって装置が共用される場合等には、使用者にとって知られたくない発信者情報が第三者に知られてしまうといった問題点があった。
【０００４】
本発明は、発信者情報が第三者に知られるといったことを防止することができる通信装置を提供することを目的とするものである。
【０００５】
上記目的を達成するために、本発明は、着信時に通信回線から到来する発信者情報を受信する受信手段と、該受信手段により受信した発信者情報に基づく情報を報知する報知手段と、着信時において自動的に通信回線を閉結して発信者情報の記憶や応答メッセージの送出や用件メッセージの録音等を行う留守番機能を備えた通信装置において、着信検出時に、上記留守番機能が起動しているか否かに基づいて上記報知手段における発信者情報に基づく情報報知の実行／禁止を制御するとともに、表示反転ボタンの操作がなされる度に、発信者情報に基づく情報報知の実行／禁止を反転させる制御手段を設けるよう構成したものである。
【０００７】
又、本発明は、着信時に通信回線から到来する発信者情報を受信する受信手段と、該受信手段により受信した発信者情報に基づく情報を報知する報知手段と、着信時において自動的に通信回線を閉結して発信者情報の記憶や応答メッセージの送出や用件メッセージの録音等を行う留守番機能を備えた通信装置において、発信者電話番号が表示されている状態、または発信者電話番号の表示が禁止されてダミーデータが表示されている状態において、表示反転ボタンの操作がなされる度に、発信者情報に基づく情報報知の実行／禁止を反転させる一方、発信者情報に基づく情報報知を禁止したとき、上記報知手段に発信者情報に基づく情報報知を禁止したことを表す情報を報知させる制御手段を設けるよう構成したものである。
【０００８】
従って、本発明によれば、留守番機能が起動されてる状態において着信を受けたとき、留守番機能が自動的に通信回線を閉結して発信者情報の記憶や応答メッセージの送出や用件メッセージの録音等を行う一方、制御手段が発信者情報に基づく情報報知を禁止することにより、不必要に発信者情報が報知されるといったことを防止することができる。
【００１０】
更に、本発明によれば、報知手段における発信者情報に基づく情報報知を禁止したとき、制御手段が発信者情報に基づく情報報知を禁止したことを表す情報を報知手段により報知させることにより、報知が故意に消されていることを使用者において即座に認識することができる。
【００１１】
【発明の実施の形態】
以下、本発明の実施の形態について図面を参照して詳細に説明する。
【００１２】
図１は本発明の通信装置の一実施の形態である留守番電話機の電気的構成を示す概略機能ブロック図、図２は同留守番電話機における待機時の動作制御を示すフローチャート、図３は同留守番電話機における着信時の動作制御を示すフローチャート、図４は同留守番電話機における通話時の動作制御を示すフローチャート、図５は同留守番電話機における留守応答時の動作制御を示すフローチャートである。
【００１３】
以下、本発明の一実施の形態である留守番電話機を、図１乃至図５に基づいて説明する。
【００１４】
図１において、１は図示しない交換機を通じて相手側通信装置に接続される通信回線、２は通信回線１の閉結／開放やデータ授受等を行う回線制御部、３は回線制御部２を通じて相手側通信装置との通話を行うハンドセット、４は着信音等を外部に放音するスピーカ、５は各種機能の設定や登録を行う機能ボタンやダイヤルボタンからなるキー入力部、６は文字や記号や画像等の表示を行う表示部、７はＣＰＵやＣＰＵにて実行されるプログラム等が格納されたＲＯＭやＣＰＵのワークエリア等が設定されＣＰＵでの演算結果等が格納されるＲＡＭからなる主制御部である。
【００１５】
尚、回線制御部２は、通信回線１の閉結／開放を行うフックスイッチと、フックスイッチによる通信回線１の閉結／開放状態を検出するフック検出回路と、フックスイッチによって閉結された通信回線１を通じて相手側通信装置との通話経路を形成しハンドセット３を用いた相手側通信装置との通話を可能とする通話回路と、通信回線１から到来する着信信号や終話信号を検出する信号検出回路と、通信回線１から到来する発信者情報を受信する発信者情報受信回路と、スピーカ４を駆動するスピーカ駆動回路と、応答メッセージや用件メッセージや発信者情報の記録／再生を行う留守番機能部とによって構成されている。
【００１６】
又、表示部６は表示フラグに基づいて発信者情報に基づく表示を行っており、表示フラグが“１”のときは発信者情報を表示し、表示フラグが“０”のときは発信者情報の表示を禁止している。
【００１７】
更に、キー入力部５を構成する機能ボタンには、留守番機能の起動／停止を行う留守設定ボタンや、表示部６における表示状態を実行又は禁止すると共に表示モードの切り替えを行う単一の表示反転ボタンが含まれている。尚、本実施の形態では、この表示反転ボタンを単一のボタンとしたが、これに限定されるものではなく、表示部６における表示モードを切り替える表示モード切替ボタンと、表示部６における表示状態を切り替える表示状態反転ボタンとに分けて設けるようにしても良い。
【００１８】
上記のように構成された留守番電話機について、まず、待機時の動作を図２に示すフローチャートに基づいて説明する。
【００１９】
待機状態において、主制御部７は、使用者によってキー入力部５の留守設定ボタンが操作されたとき（ステップＦ１）、現在設定されている留守モードフラグを反転し（ステップＦ２）、留守番モードの起動又は停止を行うと共に、表示部６に留守番モードが起動又は停止していることを表すメッセージ又はキャラクタを表示する（ステップＦ３）。即ち、留守番モードが起動されておらず、留守モードフラグが“０”の状態において、留守設定ボタンが操作されたとき、留守モードフラグを“１”として留守番モードを起動すると共に、表示部６に留守番モードが起動していることを表すメッセージ又はキャラクタを表示し、又留守番モードが起動しており、留守モードフラグが“１”の状態において、留守設定ボタンが操作されたとき、留守モードフラグを“０”として留守番モードを停止すると共に、表示部６に留守番モードが起動していることを表すメッセージ又はキャラクタの表示を停止する。
【００２０】
又、待機状態において、主制御部７は、使用者によってキー入力部５の表示反転ボタンが操作されたとき（ステップＦ４）、現在設定されている表示モードフラグを反転し（ステップＦ５）、着信時における発信者情報に基づく表示の実行又は禁止を設定すると共に、表示部６に着信時における表示モードを表すメッセージ又はキャラクタを表示する（ステップＦ６）。即ち、着信時における発信者情報に基づく表示の禁止が設定されており、表示モードフラグが“０”の状態において、表示反転ボタンが操作されたとき、表示モードフラグを“１”として着信時における発信者情報に基づく表示の実行を設定すると共に、表示部６に着信時に発信者情報に基づく表示を行うことを表すメッセージを表示し、又着信時における発信者情報に基づく表示の実行が設定されており、表示モードフラグが“１”の状態において、表示反転ボタンが操作されたとき、表示モードフラグを“０”として着信時における発信者情報に基づく表示の禁止を設定すると共に、表示部６に着信時に発信者情報に基づく表示を行わないことを表すメッセージを表示する。
【００２１】
従って、上記動作制御によれば、待機状態における留守設定ボタンの操作によって留守番モードの起動／停止を行うことができると共に、待機状態における表示反転ボタンの操作によって着信時における発信者情報に基づく表示の実行又は禁止を設定することができ、又使用者において留守設定の内容や表示状況の内容を迅速に認識することができる。
【００２２】
次に、着信時の動作を図３に示すフローチャートに基づいて説明する。
【００２３】
待機状態において、通信回線１より到来する着信信号が回線制御部２において検出される（ステップＦ１１）と、主制御部７は留守モードフラグや表示モードフラグの設定状態を確認し（ステップＦ１２，１３）、その設定状態に基づいて表示フラグの設定を行い、着信時において回線制御部２において受信された発信者情報に基づく表示を実行又は禁止する（ステップＦ１４，Ｆ１５）。即ち、着信検出時において留守モードフラグが“１”であった場合や、留守モードフラグ及び表示モードフラグがともに“０”であった場合には、表示フラグが“０”となり、表示部６における発信者電話番号の表示が禁止されてダミー表示が行われ、又留守モードフラグが“０”で表示モードフラグが“１”であった場合には、表示フラグが“１”となり、表示部６における発信者電話番号の表示が実行されて発信者電話番号の表示が行われる。
【００２４】
尚、このダミー表示としては、正規の表示をカムフラージュするだけでなく、留守モードフラグが“１”のときと、留守モードフラグ及び表示モードフラグがともに“０”のときとで表示内容を変え、例えば、留守モードフラグが“１”のときに「留守録中につき、電話にでないでください」等の表示とし、又留守モードフラグ及び表示モードフラグがともに“０”のときに「表示反転ボタンの操作により電話番号が表示されます」等の表示又は更に通話時間や現在時刻等の有用な情報を表示するようにしても良く、このように有用な表示を行うことにより、表示スペースの少ない端末において更に利便性が向上する。
【００２５】
そして、主制御部７は、表示部６に発信者電話番号が表示されている状態、又は発信者電話番号の表示が禁止されダミーデータが表示されている状態において、ハンドセット３が取り上げられる等のオフフック操作が成されたとき（ステップＦ１６）、着信状態から通話状態に移行する。
【００２６】
又、主制御部７は、表示部６に発信者電話番号が表示されている状態、又は発信者電話番号の表示が禁止されダミーデータが表示されている状態において、留守モードフラグの設定状態を再び確認し（ステップＦ１７）、留守モードフラグが“１”であった場合には着信状態から留守応答状態に移行する。
【００２７】
又、主制御部７は、表示部６に発信者電話番号が表示されている状態、又は発信者電話番号の表示が禁止されてダミーデータが表示されている状態において、使用者によってキー入力部５の留守設定ボタンが操作されたとき（ステップＦ１８）、現在設定されている留守モードフラグを“１”とし（ステップＦ１９）、留守番モードの起動を行う。即ち、留守番モードが起動されておらず、留守モードフラグが“０”の状態において、留守設定ボタンが操作されたとき、留守モードフラグを“１”として留守番モードを起動する。尚、このとき、留守設定ボタンが操作された事実により、使用者が装置本体の近傍に存在することが明らかであるので、留守モードフラグや表示モードフラグに関係なく、表示フラグを“１”として無条件に発信者電話番号を表示させるようにしても良い。
【００２８】
又、主制御部７は、表示部６に発信者電話番号が表示されている状態、又は発信者電話番号の表示が禁止されてダミーデータが表示されている状態において、使用者によってキー入力部５の表示反転ボタンが操作されたとき（ステップＦ２０）、現在設定されている表示フラグが反転し（ステップＦ２１）、着信時における発信者情報に基づく表示が実行又は禁止される。即ち、表示フラグが“０”となって着信時における発信者情報に基づく表示が禁止されている状態において、表示反転ボタンが操作されたとき、表示フラグを“１”として着信時における発信者情報に基づく表示を実行し、又表示フラグが“１”となって着信時における発信者情報に基づく表示が実行されている状態において、表示反転ボタンが操作されたとき、表示フラグを“０”として着信時における発信者情報に基づく表示を禁止する。尚、このとき、待機状態における表示反転ボタンの操作と同様に、表示モードを表すメッセージ又はキャラクタ表示を変更するようにしても良い。
【００２９】
又、主制御部７は、表示部６に発信者電話番号が表示されている状態、又は発信者電話番号の表示が禁止されてダミーデータが表示されている状態において、通信回線１から到来する着信信号のパルスをカウントしており、所定回数以上の着信信号が到来したとき（ステップＦ２２）、現在設定されている表示フラグの状況に関係なく、表示フラグを“０”として着信時における発信者情報に基づく表示の禁止を設定する（ステップＦ２３）。尚、この所定回数は、使用者によるキー入力部５の操作に基づいて任意に設定することができるようにしても良く、この設定された所定回数は主制御部７を構成するＲＡＭに格納される。
【００３０】
又、主制御部７は、表示部６に発信者電話番号が表示されている状態、又は発信者電話番号の表示が禁止されてダミーデータが表示されている状態において、通信回線１から着信信号が到来しているか否かを検出しており（ステップＦ２４）、着信信号が検出されている間は上述の動作制御（ステップＦ１６〜２４）を繰り返し行い、着信信号が検出されなくなったときに着信モードを終了して待機状態に移行する。
【００３１】
従って、上記動作制御によれば、予め設定されたモードに基づいて着信時における発信者情報に基づく表示の実行又は禁止を行うことができると共に、発信者情報に基づく表示が実行又は禁止されている状態において表示反転ボタンを操作することによって発信者情報に基づく表示を禁止又は実行させることができる。
【００３２】
又、上記動作制御によれば、着信時における発信者情報に基づく表示の実行が予め設定されている場合において着信があったときであっても、着信を受けてから所定時間が経過したときに、自動的に発信者情報に基づく表示を禁止させることができる。
【００３３】
尚、上記動作制御では、通信回線１から到来する着信信号のパルスをカウントすることによって着信を受けてからの時間を計時するようにしたが、これに限定されるものではなく、携帯電話機のように自らが着信音を発生して外部に放音するものでは、その発生した着信音のパルスをカウントするようにしても良く、又時間を計時するタイマを設けるようにしても良い。
【００３４】
次に、通話時の動作を図４に示すフローチャートに基づいて説明する。
【００３５】
着信時においてハンドセット３が取り上げられる等のオフフック操作が成され、着信状態から通話状態に移行すると、主制御部７は、回線制御部２を制御して通信回線１を閉結し（ステップＦ３１）、ハンドセット３を用いた相手側通信装置との通話を可能とすると共に、表示モードフラグの設定状態を確認し（ステップＦ３２）、その設定状態に基づいて表示フラグの設定を行い、着信時において回線制御部２において受信された発信者情報に基づく表示を実行又は禁止する（ステップＦ３３，３４）。即ち、表示モードフラグが“０”であった場合には、表示フラグが“１”となり、表示部６における発信者電話番号の表示が実行されて発信者電話番号の表示が行われ、又表示モードフラグが“１”であった場合には、表示フラグが“０”となり、表示部６における発信者電話番号の表示が禁止されてダミー表示が行われる。
【００３６】
そして、主制御部７は、表示部６に発信者電話番号が表示されている状態、又は発信者電話番号の表示が禁止されダミーデータが表示されている状態において、使用者によってキー入力部５の表示反転ボタンが操作されたとき（ステップＦ３５）、現在設定されている表示フラグを反転し（ステップＦ３６）、着信時における発信者情報に基づく表示を実行又は禁止する。即ち、表示フラグが“０”となって着信時における発信者情報に基づく表示が禁止されている状態において、表示反転ボタンが操作されたとき、表示フラグを“１”として着信時における発信者情報に基づく表示を実行し、又表示フラグが“１”となって着信時における発信者情報に基づく表示が実行されている状態において、表示反転ボタンが操作されたとき、表示フラグを“０”として着信時における発信者情報に基づく表示を禁止するといったように、キー入力部５の表示反転ボタンが操作される度に表示部６における発信者電話番号の表示状態を禁止から実行に又は実行から禁止に反転する。
【００３７】
又、主制御部７は、表示部６に発信者電話番号が表示されている状態、又は発信者電話番号の表示が禁止されダミーデータが表示されている状態において、ハンドセット３が載置される等のオンフック操作が成されるか否かを検出しており（ステップＦ３７）、オンフック操作が成されるまでは、上述の動作制御（ステップＦ３５〜Ｆ３７）を繰り返し行い、オンフック操作が成されたときに回線制御部２を制御して通信回線１を開放する（ステップＦ３８）ことによって、通話状態を終了して待機状態に移行する。
【００３８】
従って、上記動作制御によれば、予め設定されたモードに基づいて通話時における発信者情報に基づく表示の実行又は禁止を行うことができると共に、発信者情報に基づく表示が実行又は禁止されている状態において表示反転ボタンを操作することによって発信者情報に基づく表示を禁止又は実行させることができる。
【００３９】
尚、上記動作制御では、着信後からオフフック操作までの間に成されたキー入力部５の表示反転ボタンの操作に基づく発信者電話番号の表示状態を無視し、当初設定されたモードに基づいて発信者電話番号の表示を実行又は禁止するようにしたが、これに限定されるものではなく、着信後からオフフック操作までの間にキー入力部５の表示反転ボタンの操作によって発信者電話番号の表示状態が変更された場合に、予め設定されたモードに基づく発信者電話番号の表示の実行又は禁止を無効とし、着信後からオフフック操作までの間に変更された発信者電話番号の表示状態を継続するようにしても良い。
【００４０】
次に、留守応答時の動作を図５に示すフローチャートに基づいて説明する。
【００４１】
予め又は着信中において留守番モードが設定され、着信状態から留守応答状態に移行されると、主制御部７は、通信回線１から到来する着信信号のパルスをカウントしており、所定回数以上の着信信号が到来したとき（ステップＦ４２）、回線制御部２を制御して通信回線１を閉結し（ステップＦ４３）、相手側通信装置との通信を可能とすると共に、相手側通信装置に予め登録された応答メッセージを送出する（ステップＦ４４）。
【００４２】
そして、応答メッセージの送出が終了する（ステップＦ４５）と、主制御部７は、再び回線制御部２を制御して通信回線１から到来する用件メッセージの録音や発信者情報の記録を行い（ステップＦ４６）、その後、通信回線１から到来する終話信号が検出されたと（ステップＦ４７）き、回線制御部２を制御して通信回線１を開放する（ステップＦ４８）ことによって、留守応答状態を終了して待機状態に移行する。
【００４３】
尚、所定回数以上の着信信号が到来する前にハンドセット３が取り上げられたり、キー入力部５におけるスピーカホンやスピーカ受話の開始指示が成される等のオフフック操作が成された場合（ステップＦ４１）には、留守応答状態から通話状態に移行する。そして、このように留守応答状態から通話状態への移行する場合には、通話状態の動作制御に基づき表示モードフラグに基づいて発信者電話番号の表示を実行又は禁止させるようにしても良く、又通話状態の動作制御とは別に表示モードフラグに関係なく、発信者電話番号を表示させるようにしても良く、更にこのようなオフフック操作は、応答メッセージの送出中又は用件メッセージや発信者情報の記録中についても同様に行うことができるようにしても良い。
【００４４】
従って、上記動作制御によれば、留守番モードが起動されているときにおいて、発信者情報に基づく表示を禁止することができる。
【００４５】
尚、上記動作制御では、留守番モードが起動されているときにおいては発信者情報に基づく表示を全く実行できないようにしたが、これに限定されるものではなく、着信状態や通話状態のように、表示反転ボタンの操作によって発信者情報に基づく表示を禁止又は実行させることができるようにしても良い。
【００４６】
又、上記実施の形態では、表示部６における表示によって発信者情報を報知するようにしたが、これに限定されるものではなく、音声合成技術等を利用して発信者情報を音声とし、スピーカにより外部に放音するようにしても良い。
【００４７】
又、上記実施の形態では、有線通信装置について説明したが、これに限定されるものではなく、基地局との無線接続によって通信が可能となる無線通信装置についても同様に適用することができることは言うまでもない。
【００４８】
【発明の効果】
以上のように、本発明によれば、留守番機能が起動しているか否かに基づいて発信者情報に基づく情報報知を実行又は禁止することにより、不必要に発信者情報が報知されるといったことを防止することができるため、事務所のように不特定多数の使用者によって装置が共用される場合等にであっても、発信者情報が第三者に知られてしまうといったことを防止することができる。
【００５０】
更に、本発明によれば、発信者情報に基づく情報報知を禁止したときにそのことを表す情報を報知させることにより、報知が故意に消されていることを使用者において即座に認識することができるため、使用者において機器が故障したといった誤った認識をしてしまうといったことを防止することができる。
【図面の簡単な説明】
【図１】本発明の通信装置の一実施の形態である留守番電話機の電気的構成を示す概略機能ブロック図である。
【図２】同留守番電話機における待機時の動作制御を示すフローチャートである。
【図３】同留守番電話機における着信時の動作制御を示すフローチャートである。
【図４】同留守番電話機における通話時の動作制御を示すフローチャートである。
【図５】同留守番電話機における留守応答時の動作制御を示すフローチャートである。
【符号の説明】
１    通信回線
２    回線制御部
３    ハンドセット
４    スピーカ
５    キー入力部
６    表示部
７    主制御部
【図１】
0003805294.tif 000002
【図２】
0003805294.tif 000003
【図３】
0003805294.tif 000004
【図４】
0003805294.tif 000005
【図５】
0003805294.tif 000006